(57)【特許請求の範囲】
【請求項１】
メディアの記録面にデータを書き込むデータ書き込み部と、
前記データ書き込み部によるデータ書き込み済みの前記メディアのエラーレートを測定するエラーレート測定部と、
前記エラーレート測定部による測定結果が、予め設定された所定の閾値以下か否かを判定するエラーレート判定部と、
前記エラーレート判定部による判定の結果、前記測定結果が前記閾値以下の場合、作成または指定されたレーベル画像と、前記エラーレート測定部により測定した前記エラーレートの最大値または前記エラーレートを示すグラフを含むエラーレート情報と、をマージした印刷データを生成する印刷データ生成部と、
前記メディアのレーベル面に、前記印刷データを印刷するレーベル印刷部と、を備えることを特徴とするメディア処理システム。
【請求項２】
前記印刷データ生成部は、
前記エラーレート判定部による判定の結果、前記測定結果が前記閾値を超過した場合、エラーレート異常を示す印刷データを生成することを特徴とする請求項１に記載のメディア処理システム。
【請求項３】
前記データ書き込み部は、
前記エラーレート判定部による判定の結果、前記測定結果が前記閾値を超過した場合、当該メディアに書き込んだデータと同じデータを他の未使用メディアに書き込むメディア再作成処理を実行することを特徴とする請求項１に記載のメディア処理システム。
【請求項４】
前記データ書き込み部は、
前記メディア再作成処理を、予め設定された所定回数繰り返すことを特徴とする請求項３に記載のメディア処理システム。
【請求項５】
前記メディアを特定する識別情報と、前記エラーレート測定部による測定結果と、を関連付けて記憶するデータ記憶部を、さらに備えたことを特徴とする請求項１に記載のメディア処理システム。
【請求項６】
前記データ書き込み部、前記レーベル印刷部および前記エラーレート測定部を有するメディア処理装置と、前記エラーレート判定部および印刷データ生成部を有する情報処理装置と、から成り、前記メディア処理装置と前記情報処理装置とは通信可能に接続されていることを特徴とする請求項１ないし５のいずれか１項に記載のメディア処理システム。
【請求項７】
メディアの記録面にデータを書き込むデータ書き込みステップと、
前記データ書き込みステップによるデータ書き込み済みの前記メディアのエラーレートを測定するエラーレート測定ステップと、
前記エラーレート測定ステップによる測定結果が、予め設定された所定の閾値以下か否かを判定するエラーレート判定ステップと、
前記エラーレート判定ステップによる判定の結果、前記測定結果が前記閾値以下の場合、作成または指定されたレーベル画像と、前記エラーレート測定ステップにより測定した前記エラーレートの最大値または前記エラーレートを示すグラフを含むエラーレート情報と、をマージした印刷データを生成する印刷データ生成ステップと、
前記メディアのレーベル面に、前記印刷データを印刷するレーベル印刷ステップと、を実行することを特徴とするメディア処理システムの制御方法。
【請求項８】
前記印刷データ生成ステップは、
前記エラーレート判定ステップによる判定の結果、前記測定結果が前記閾値を超過した場合、エラーレート異常を示す印刷データを生成することを特徴とする請求項７に記載のメディア処理システムの制御方法。
【請求項９】
前記データ書き込みステップは、
前記エラーレート判定ステップによる判定の結果、前記測定結果が前記閾値を超過した場合、当該メディアに書き込んだデータと同じデータを他の未使用メディアに書き込むメディア再作成処理を実行することを特徴とする請求項７に記載のメディア処理システムの制御方法。
【請求項１０】
前記データ書き込みステップは、
前記メディア再作成処理を、予め設定された所定回数繰り返すことを特徴とする請求項９に記載のメディア処理システムの制御方法。
【請求項１１】
メディアの記録面にデータを書き込むデータ書き込み部と、
前記データ書き込み部によるデータ書き込み済みの前記メディアのエラーレートを測定するエラーレート測定部と、
前記エラーレート測定部による測定結果が、予め設定された所定の閾値以下か否かを判定するエラーレート判定部と、
前記エラーレート判定部による判定の結果、前記測定結果が前記閾値以下の場合、作成または指定されたレーベル画像と、前記エラーレート測定部により測定した前記エラーレートの最大値または前記エラーレートを示すグラフを含むエラーレート情報と、をマージした印刷データを生成する印刷データ生成部と、
前記メディアのレーベル面に、前記印刷データを印刷するレーベル印刷部と、を備えることを特徴とするメディア処理装置。
【請求項１２】
前記印刷データ生成部は、
前記エラーレート判定部による判定の結果、前記測定結果が前記閾値を超過した場合、エラーレート異常を示す印刷データを生成することを特徴とする請求項１１に記載のメディア処理装置。
【請求項１３】
前記データ書き込み部は、
前記エラーレート判定部による判定の結果、前記測定結果が前記閾値を超過した場合、当該メディアに書き込んだデータと同じデータを他の未使用メディアに書き込むメディア再作成処理を実行することを特徴とする請求項１１に記載のメディア処理装置。
【請求項１４】
前記データ書き込み部は、
前記メディア再作成処理を、予め設定された所定回数繰り返すことを特徴とする請求項１３に記載のメディア処理装置。
【発明の詳細な説明】
【技術分野】
【０００１】
本発明は、メディアに対しデータの書き込み、およびレーベル面の印刷を行なうことが可能なメディア処理システム、メディア処理システムの制御方法およびメディア処理装置に関するものである。
【背景技術】
【０００２】
従来、ＣＤやＤＶＤ等のメディア（光ディスク）に対して、データの書き込みやレーベル印刷を行なうメディア処理装置が知られている。この種のメディア処理装置では、複数枚のブランクメディアがセットされた供給用のスタッカーから、１のブランクメディアをメディアドライブに供給（搬送）してデータを書き込み、データが書き込まれたメディアを、内蔵のプリンターに供給してレーベル面の印刷を行ない、これにより作成（発行）されたメディアを回収スタッカーに排出する（例えば、特許文献１参照）。
【先行技術文献】
【特許文献】
【０００３】
【特許文献１】特開２００６−２０２３７９号公報
【発明の概要】
【発明が解決しようとする課題】
【０００４】
ところで、近年、書籍等をデジタル化し、デジタル化した電子文書の長期保存を目的として、上記のようなメディア処理装置を用いてＣＤやＤＶＤ等のメディア（光ディスク）に記録することが行なわれている。この記録媒体として用いられるＣＤやＤＶＤ等のメディアは、一定期間（数十年程度）の寿命がありデータの長期保存に適した媒体であるとされているが、現実的には、メディアの品質や保存環境等の様々な要因により劣化が進み、その寿命が変化する。このため、作成したばかりのメディア（データ書き込みを行なったばかりのメディア）であっても、劣化が進んでいる可能性が考えられる。しかしながら、上記のメディア処理装置では、メディア作成時にメディアの状態（劣化の程度）を検出することができないため、作成したメディアが劣化の進んだ状態である可能性があり、必ずしもデータの長期保存に適した品質を担保したメディアを作成できないという問題がある。
【０００５】
本発明は上記の問題に鑑み、データの長期保存に適した品質を担保したメディアを作成することができるメディア処理システム、メディア処理システムの制御方法およびメディア処理装置を提供することを目的とする。
【課題を解決するための手段】
【０００６】
本発明のメディア処理システムは、メディアの記録面にデータを書き込むデータ書き込み部と、データ書き込み部によるデータ書き込み済みのメディアのエラーレートを測定するエラーレート測定部と、エラーレート測定部による測定結果が、予め設定された所定の閾値以下か否かを判定するエラーレート判定部と、エラーレート判定部による判定の結果、測定結果が閾値以下の場合、作成または指定されたレーベル画像と、エラーレート測定部により測定したエラーレートの最大値またはエラーレートを示すグラフを含むエラーレート情報と、をマージした印刷データを生成する印刷データ生成部と、メディアのレーベル面に、印刷データを印刷するレーベル印刷部と、を備えることを特徴とする。
本発明のメディア処理システムにおいて、印刷データ生成部は、エラーレート判定部による判定の結果、測定結果が閾値を超過した場合、エラーレート異常を示す印刷データを生成することが好ましい。
本発明のメディア処理システムにおいて、データ書き込み部は、エラーレート判定部による判定の結果、測定結果が閾値を超過した場合、当該メディアに書き込んだデータと同じデータを他の未使用メディアに書き込むメディア再作成処理を実行することが好ましい。
本発明のメディア処理システムにおいて、データ書き込み部は、メディア再作成処理を、予め設定された所定回数繰り返すことが好ましい。
本発明のメディア処理システムにおいて、メディアを特定する識別情報と、エラーレート測定部による測定結果と、を関連付けて記憶するデータ記憶部を、さらに備えたことが好ましい。
本発明のメディア処理システムにおいて、データ書き込み部、レーベル印刷部およびエラーレート測定部を有するメディア処理装置と、エラーレート判定部および印刷データ生成部を有する情報処理装置と、から成り、メディア処理装置と情報処理装置とは通信可能に接続されていることが好ましい。
本発明のメディア処理システムの制御方法は、メディアの記録面にデータを書き込むデータ書き込みステップと、データ書き込みステップによるデータ書き込み済みのメディアのエラーレートを測定するエラーレート測定ステップと、エラーレート測定ステップによる測定結果が、予め設定された所定の閾値以下か否かを判定するエラーレート判定ステップと、エラーレート判定ステップによる判定の結果、測定結果が閾値以下の場合、作成または指定されたレーベル画像と、エラーレート測定ステップにより測定したエラーレートの最大値またはエラーレートを示すグラフを含むエラーレート情報と、をマージした印刷データを生成する印刷データ生成ステップと、メディアのレーベル面に、印刷データを印刷するレーベル印刷ステップと、を実行することを特徴とする。
本発明のメディア処理システムの制御方法において、印刷データ生成ステップは、エラーレート判定ステップによる判定の結果、測定結果が閾値を超過した場合、エラーレート異常を示す印刷データを生成することが好ましい。
本発明のメディア処理システムの制御方法において、データ書き込みステップは、エラーレート判定ステップによる判定の結果、測定結果が閾値を超過した場合、当該メディアに書き込んだデータと同じデータを他の未使用メディアに書き込むメディア再作成処理を実行することが好ましい。
本発明のメディア処理システムの制御方法において、データ書き込みステップは、メディア再作成処理を、予め設定された所定回数繰り返すことが好ましい。
本発明のメディア処理装置は、メディアの記録面にデータを書き込むデータ書き込み部と、データ書き込み部によるデータ書き込み済みのメディアのエラーレートを測定するエラーレート測定部と、エラーレート測定部による測定結果が、予め設定された所定の閾値以下か否かを判定するエラーレート判定部と、エラーレート判定部による判定の結果、測定結果が閾値以下の場合、作成または指定されたレーベル画像と、エラーレート測定部により測定したエラーレートの最大値またはエラーレートを示すグラフを含むエラーレート情報と、をマージした印刷データを生成する印刷データ生成部と、メディアのレーベル面に、印刷データを印刷するレーベル印刷部と、を備えることを特徴とする。
本発明のメディア処理装置において、印刷データ生成部は、エラーレート判定部による判定の結果、測定結果が閾値を超過した場合、エラーレート異常を示す印刷データを生成することが好ましい。
本発明のメディア処理装置において、データ書き込み部は、エラーレート判定部による判定の結果、測定結果が閾値を超過した場合、当該メディアに書き込んだデータと同じデータを他の未使用メディアに書き込むメディア再作成処理を実行することが好ましい。
本発明のメディア処理装置において、データ書き込み部は、メディア再作成処理を、予め設定された所定回数繰り返すことが好ましい。
なお、以下の構成としても良い。
本発明のメディア処理システムは、メディアの記録面にデータを書き込むデータ書き込み部と、メディアのレーベル面に印刷を行なうレーベル印刷部と、データ書き込み部によるデータ書き込み済みのメディアのエラーレートを測定するエラーレート測定部と、エラーレート測定部による測定結果が、予め設定された所定の閾値以下か否かを判定するエラーレート判定部と、を備え、レーベル印刷部は、エラーレート判定部による判定の結果、測定結果が閾値以下の場合、レーベル面にレーベル画像を印刷することを特徴とする。
【０００７】
また、本発明のメディア処理システムの制御方法は、メディアの記録面にデータを書き込むデータ書き込みステップと、データ書き込みステップによるデータ書き込み済みのメディアのエラーレートを測定するエラーレート測定ステップと、エラーレート測定ステップによる測定結果が、予め設定された所定の閾値以下か否かを判定するエラーレート判定ステップと、エラーレート判定ステップによる判定の結果、測定結果が前記閾値以下の場合、レーベル面にレーベル画像を印刷するレーベル印刷ステップと、を実行することを特徴とする。
【０００８】
これらの構成によれば、所定のデータをメディア（光ディスク）に書き込んだ後、メディアのエラーレートを測定することにより、作成したメディアの品質（劣化程度）を判定することができる。即ち、結果として、データの長期保存に適した品質を担保したメディアを作成することができる。
また、測定したエラーレートが閾値以下（予め設定されたエラーレートに対する閾値以下）の場合のみレーベル面にレーベル画像を印刷することで、ユーザーは作成したメディアの品質が良いのか悪いのかを一目で判断できる。即ち、レーベル画像が印刷されていればメディアの品質は良好であると判断でき、逆にレーベル画像が印刷されていなければメディアが劣化していると判断できる。
なお、上述のレーベル画像とは、ユーザーにより入力あるいは指定された画像であり、メディアの記録内容（データ内容）を示す情報（例えば、作成者や作成年月日、メディアを識別するための情報等）や、メディアのレーベル面を装飾するための画像（背景画像）等を意味する。
【０００９】
本発明のメディア処理システムにおいて、レーベル印刷部は、測定結果が閾値以下の場合、エラーレート測定部により測定したエラーレートに関するエラーレート情報を、レーベル面にさらに印刷することが好ましい。
【００１０】
また、本発明のメディア処理システムにおいて、エラーレート情報には、エラーレートの最大値およびエラーレートを示すグラフの内の、少なくとも一方が含まれていることが好ましい。
【００１１】
これらの構成によれば、レーベル面にエラーレート情報を印刷することができるため、多数のメディアを作成する場合であっても、ユーザーは各メディアがどのくらいのエラーレートかを容易に認識することができ、メディア管理を簡略化することができる。また、様々な形式でエラーレート情報を印刷することができるため、その時々の管理基準によって使い分けることができ利便性が良い。例えば、エラーレートの最大値のみが分かれば良い場合は、エラーレートの最大値のみを印刷し、詳細なエラーレート情報が必要な場合は、エラーレートの最大値に加え、エラーレートのグラフを印刷する等、状況に応じて印刷内容を変更することができる。
なお、エラーレート情報としては、上記以外にも、エラーレートの平均値や総エラーレート値を印刷しても良い。
【００１２】
本発明のメディア処理システムにおいて、レーベル印刷部は、エラーレート測定部による測定結果が閾値を超過した場合、レーベル面に、その旨を示す情報を印刷することが好ましい。
【００１３】
この構成によれば、書き込みを行なったメディアが不良である原因を一目で把握することができる。
【００１４】
本発明のメディア処理システムにおいて、データ書き込み部は、エラーレート測定部による測定の結果、メディアのエラーレートが閾値を超過した場合、当該メディアに書き込んだデータと同じデータを他の未使用メディアに書き込むメディア再作成処理を実行することが好ましい。
【００１５】
また、本発明のメディア処理システムにおいて、データ書き込み部は、メディア再作成処理を、予め設定された所定回数繰り返すことが好ましい。
【００１６】
これらの構成によれば、エラーレートが閾値を超えた場合、即ち、メディアの作成に失敗した場合、同じデータを用いてメディアの再作成を行なうことができる。また、メディア再作成処理を所定回数繰り返すことで、成功メディア（データが正常に書き込まれたメディア）の作成確率を高めることができる。また、メディア再作成処理の回数を設定しておくことで、例えば、成功するまでメディア再作成処理を繰り返す場合に比べ、メディア（未使用メディア）を無駄に消費することを防止できる。
【００１７】
本発明のメディア処理システムにおいて、メディアを特定する識別情報と、エラーレート測定部による測定結果と、を関連付けて記憶するデータ記憶部を、さらに備えたことが好ましい。
【００１８】
これらの構成によれば、メディアのエラーレートと当該メディアの識別情報と、を関連付けて記憶（保存）しておくことで、作成したメディアのエラーレートを容易に把握することができ、メディア管理を簡単に、且つ効率良く行なうことができる。特に、大量のメディアを作成する場合に有効である。
【００１９】
本発明のメディア処理システムは、データ書き込み部、レーベル印刷部およびエラーレート測定部を有するメディア処理装置と、エラーレート判定部を有する情報処理装置と、から成り、メディア処理装置と情報処理装置とは通信可能に接続されていることを特徴とする。
【００２０】
この構成によれば、メディア処理システムの各部（各機能）をメディア処理装置単体で構成する場合に比べ、メディア処理装置の処理負荷を低減することができる。
【図面の簡単な説明】
【００２１】
【図１】本発明の一実施形態に係るメディア処理システムの機能構成を示すブロック図である。
【図２】ディスク作成処理の処理手順を示すフローチャートである。
【図３】図２のフローチャートの処理過程におけるレーベル面への印刷結果の一例を示す図である。
【図４】図２のフローチャートの処理過程におけるレーベル面への印刷結果の一例を示す図である。
【図５】レーベル面へ印刷する印刷内容の他の例を示す図である。
【発明を実施するための形態】
【００２２】
以下、添付の図面を参照し、本発明の一実施形態に係るメディア処理システム、メディア処理システムの制御方法およびメディア処理装置について説明する。図１は、本実施形態のメディア処理システムＳＹの機能構成を示したブロック図である。図示のように、メディア処理システムＳＹは、ＣＤ（Compact  Disc）、ＤＶＤ（Digital  Versatile  Disk）やＢＤ（Blu-ray  Disk）等の光ディスク（メディア。以下、単に「ディスクＤ（図３参照）」と称す）に対する書き込みや読み取りおよびレーベル面Ｌ（図３参照）の印刷を行なうメディア処理装置１と、メディア処理装置１と接続され、当該メディア処理装置１を制御する情報処理装置２と、により構成されている。
【００２３】
情報処理装置２は、一般的なパーソナルコンピューターやサーバー等により構成され、主要な要素として、ディスク作成用アプリケーション１１、データ記憶部１２、搬送処理制御部１３、記録処理制御部１４、および印刷処理制御部１５を有している。
【００２４】
ディスク作成用アプリケーション１１は、ディスクＤの記録面に書き込むデータの指定やレーベル面Ｌに印刷するレーベル画像（レーベル画像データ）の作成（または指定）を行なうアプリケーションである。また、ディスクＤを作成するための一連の処理（ディスク作成処理，詳細は後述する）をスケジューリングし、搬送処理制御部１３、記録処理制御部１４、および印刷処理制御部１５に対して処理実行を指示することで、メディア処理装置１の各部（後述する）の動作を制御する。なお、ディスク作成用アプリケーション１１は、情報処理装置２のＣＰＵ（図示省略）により実行されるものである。
【００２５】
データ記憶部１２は、ディスクＤの記録面に書き込むための各種データ、ディスクＤのレーベル面Ｌに印刷する各種レーベル画像（本実施形態では、サンプルとして予め用意されたレーベル画像や、ディスク作成用アプリケーション１１で作成されたレーベル画像等を意味する）、およびレーベル面Ｌに印刷する各種エラー情報を記憶する。また、データ記憶部１２は、ディスクＤのエラーレートと当該ディスクＤを識別するための識別情報と、を関連付けたディスク情報を記憶する（詳細は後述する）。なお、エラー情報とは、予めシステムの開発者等により作成された文字情報であり、ディスクＤの作成処理時（データ書き込み時）に発生する可能性のあるエラーに関する情報を意味する。
【００２６】
搬送処理制御部１３は、ディスク作成用アプリケーション１１のスケジューリングに則って、メディア処理装置１のディスク搬送機構４５を制御するためのディスク搬送命令を生成し、これをメディア処理装置１に送信する。
【００２７】
記録処理制御部１４は、ディスク作成用アプリケーション１１のスケジューリングに則って、メディア処理装置１におけるデータの書き込み処理に関する命令を生成・発行するものであり、書き込み命令発行部２１、コンペア命令発行部２２、ウィルスチェック部２３、エラーレート測定命令発行部２４およびエラーレート判定部２５を有している。
【００２８】
書き込み命令発行部２１は、データ記憶部１２から指定されたデータを取得し、当該データをディスクＤに書き込むための命令（書き込み命令）をメディア処理装置１に送信する。
【００２９】
コンペア命令発行部２２は、ディスクＤに正常にデータが書き込まれたかどうかをチェックするコンペア処理を実行するための命令（コンペア処理命令）をメディア処理装置１に送信する。ウィルスチェック部２３は、ディスクＤに書き込まれているデータのウィルスチェックを実行する。
【００３０】
エラーレート測定命令発行部２４は、ディスクＤのエラーレートを測定するための命令（エラーレート測定命令）をメディア処理装置１に送信する。エラーレート判定部２５は、予め設定されたエラーレートの閾値と、メディア処理装置１で測定したエラーレートの測定結果（エラーレートの最大値）を比較し、測定結果が閾値以下か、閾値を超過したかを判定する。
【００３１】
印刷処理制御部１５は、ディスク作成用アプリケーション１１のスケジューリングに則って、メディア処理装置１におけるレーベル面Ｌの印刷処理に関する命令を生成・発行するものであり、印刷データ生成部３１および印刷命令発行部３２を有している。
【００３２】
印刷データ生成部３１は、レーベル面Ｌに印刷するための印刷データを生成する。この印刷データとしては、ディスク作成処理が成功した場合（コンペア処理、ウィルスチェックおよびエラーレート判定処理で問題がなかった場合）、ユーザーにより作成された（あるいは指定された）レーベル画像と、メディア処理装置１で測定したエラーレートに関する情報（以下、「エラーレート情報」と称す）と、に基づいて、ディスクＤのレーベル面Ｌに印刷する印刷データ（後述のレーベル印刷部４３で処理可能な形式の印刷データ）を生成する。また、ディスク作成処理時にエラーが発生した場合（コンペア処理、ウィルスチェックおよびエラーレート判定処理のいずれかで問題があった場合）、当該エラーの内容を示すエラー情報（データ記憶部１２に記憶されているエラー情報）に基づいた印刷データを生成する。印刷命令発行部３２は、印刷データ生成部３１によって生成した印刷データおよび当該印刷を実行するための命令（印刷命令）をメディア処理装置１に送信する。
【００３３】
一方、メディア処理装置１は、制御部４１、データ記録部４２、レーベル印刷部４３、ディスク収容部４４およびディスク搬送機構４５を備えている。データ記録部４２は、ディスクＤの記録面に対するデータの書き込み、またはディスクＤの記録面からデータの読み出しを行なうディスクドライブである。レーベル印刷部４３は、ディスクＤのレーベル面Ｌに対して印刷処理を行うプリンターである。なお、本実施形態のレーベル印刷部４３は、インクジェットヘッドを備え、インクジェット方式でレーベル面Ｌの印刷を行う。
【００３４】
ディスク収容部４４は、ディスクＤを収容するものであり、数十枚程度のディスクＤを積載状態で収容する円筒形状の収容ケースで形成されている。本実施形態では、未使用のディスクＤ（書き込み処理および印刷処理が施されていないディスクＤ（ブランクディスク））を収容する供給用スタッカー４４ａと、書き込み処理および印刷処理が正常に完了したディスクＤ（成功ディスク）を収容する第１保管用スタッカー４４ｂと、ディスクＤの作成段階でエラーが発生したディスクＤ（エラーディスク）を収容する第２保管用スタッカー４４ｃと、を有している。なお、これら各スタッカーの構成は一例であり、適宜変更することが可能である。
【００３５】
ディスク搬送機構４５は、データ記録部４２、レーベル印刷部４３およびディスク収容部４４の間でディスクＤを搬送する機構であり、ディスクＤを把持して水平方向（Ｘ軸方向）に移動させるアーム部と、アーム部を垂直方向（Ｙ軸方向）に移動させるガイドと、ガイドの軸方向に沿って摺動可能でありガイドの軸を中心に回動する駆動部（いずれも図示省略）とを有し、駆動部の駆動に伴ってディスクＤを各部に搬送する。
【００３６】
制御部４１は、情報処理装置２からの各種命令に基づいて、メディア処理装置１の各部を制御するためのものであり、搬送制御部５１、記録制御部５２および印刷制御部５３を有している。搬送制御部５１は、情報処理装置２（搬送処理制御部１３）からのディスク搬送命令に基づいて、ディスク搬送機構４５の動作を制御する。印刷制御部５３は、情報処理装置２（印刷処理制御部１５）からの印刷命令により、レーベル印刷部４３の動作を制御する。
【００３７】
記録制御部５２は、情報処理装置２（記録処理制御部１４）からの各種命令によりデータ記録部４２の動作を制御するものであり、書き込み処理部６１、コンペア処理部６２およびエラーレート測定部６３を有している。書き込み処理部６１は、情報処理装置２から送信された書き込み命令に基づいて、対象となるデータをディスクＤへ書き込む処理を制御する。コンペア処理部６２は、情報処理装置２から送信されたコンペア命令に基づいて、ディスクＤに書き込んだデータと、その元となる情報処理装置２に記憶されているデータ（実データ）とを比較することにより、ディスクＤに正常にデータが書き込まれたかどうかを判定する。エラーレート測定部６３は、情報処理装置２から送信されたエラーレート測定命令に基づいて、データ書き込み済みのディスクＤのエラーレートを測定し、測定結果を情報処理装置２に送信する。なお、「データ書き込み部」は、記録制御部５２（書き込み処理部６１）およびデータ記録部４２を主要部として構成される。
【００３８】
次に、図２ないし図４を参照して、メディア処理システムＳＹにおけるディスク作成処理について説明する。図２は、ディスク作成処理の処理手順を示すフローチャートであり、図３および図４は、図２のフローチャートの処理過程におけるレーベル面Ｌへの印刷結果を示す図である。なお、ここでは、ディスクＤに記録するデータおよびレーベル画像は指定されているものとする。また、エラーレートに対する閾値は予め設定されているものとする。
【００３９】
まず、ユーザー操作により、情報処理装置２がディスク作成処理の開始指示を受けると（Ｓ０１）、情報処理装置２はメディア処理装置１に対してディスク搬送命令を送信し、メディア処理装置１は、当該命令に基づいて供給用スタッカー４４ａに収容されている未使用のディスクＤ（ブランクディスク）をデータ記録部４２に搬送する（Ｓ０２）。次に、情報処理装置２は、メディア処理装置１に対して書き込み命令（書き込み対象となるデータを含む）を送信し、メディア処理装置１は、当該命令に基づいてデータ記録部４２を制御し、ディスクＤに対してデータの書き込みを実行する（Ｓ０３，データ書き込みステップ）。
【００４０】
次に、書き込み処理終了後、情報処理装置２は、メディア処理装置１に対してコンペア命令を送信し、メディア処理装置１は、当該命令に基づいてコンペア処理を実行する（Ｓ０４）。このコンペア処理において、ディスクＤに書き込まれたデータと、この元となるデータ（情報処理装置２に記憶されているデータ）とが一致しない場合、即ち、コンペアが失敗した場合（Ｓ０５；Ｎｏ）、情報処理装置２は、コンペア失敗を示す印刷データをメディア処理装置１に送信し、メディア処理装置１はレーベル印刷部４３を制御して受信した印刷データに基づいてレーベル面Ｌに印刷を行なう（Ｓ０６）。即ち、この場合、レーベル面Ｌには、図３（ａ）に示すように、「コンペア処理が失敗した」旨を示すエラー情報（コンペアエラー情報７１）が印刷される。そして、メディア処理装置１は、情報処理装置２から送信されるディスク搬送指令に基づいて、当該ディスクＤをエラーディスクの保管場所である第２保管用スタッカー４４ｃへ搬送する（Ｓ０７）。その後、Ｓ０３で書き込み対象となったデータを用いてディスクＤの再作成処理（ディスク再作成処理）を実行する（Ｓ０１）。即ち、Ｓ０３で書き込み対象となったデータを、再度、他の未使用ディスクに書き込む処理を実行する。この場合、Ｓ０１の処理は、ユーザーからのディスク作成処理の開始指示を受ける（取得する）のではなく、自動的にディスクＤの再作成を実行する（以下で説明するディスク再作成処理においても同様である）。
【００４１】
一方、コンペア処理において、ディスクＤに書き込まれたデータと、この元となるデータ（情報処理装置２に記憶されているデータ）とが一致した場合、即ち、コンペアが成功した場合（Ｓ０５；Ｙｅｓ）、情報処理装置２は、ディスクＤのウィルスチェックを実行する（Ｓ０８）。ウィルスチェックにおいて、ウィルスが検出された場合（Ｓ０９；Ｎｏ）、情報処理装置２は、ウィルス検出結果を示す印刷データをメディア処理装置１に送信し、メディア処理装置１はレーベル印刷部４３を制御して受信した印刷データに基づいてレーベル面Ｌに印刷を行なう（Ｓ１０）。即ち、この場合、レーベル面Ｌには、図３（ｂ）に示すように、「ウィルスが検出された」旨を示すエラー情報（ウィルス検出情報７２）が印刷される。そして、メディア処理装置１は、情報処理装置２から送信されるディスク搬送指令に基づいて、当該ディスクＤをエラーディスクの保管場所である第２保管用スタッカー４４ｃへ搬送する（Ｓ０７）。その後、Ｓ０３で書き込み対象となったデータを用いてディスクＤの再作成処理（ディスク再作成処理）を実行する（Ｓ０１）。なお、図３（ｂ）において、ウィルス感染したファイル名等を印刷しても良い。
【００４２】
一方、ウィルスチェックにおいてウィルスが検出されなかった場合（Ｓ０９；Ｙｅｓ）、情報処理装置２は、メディア処理装置１に対してエラーレート測定命令を送信し、メディア処理装置１は当該命令に基づいてディスクＤのエラーレートを測定する（Ｓ１１，エラーレート測定ステップ）。この測定結果は情報処理装置２に送信される。情報処理装置２は、メディア処理装置１からエラーレートの測定結果を受信すると、当該エラーレート（エラーレートの最大値）が閾値以下か否かを判定する（エラーレート判定ステップ）。
【００４３】
エラーレートが閾値を超過している場合（Ｓ１２；Ｎｏ）、情報処理装置２は、エラーレート異常を示す印刷データをメディア処理装置１に送信し、メディア処理装置１は、レーベル印刷部４３を制御して受信した印刷データに基づいてレーベル面Ｌに印刷を行なう（Ｓ１３）。即ち、この場合、レーベル面Ｌには、図３（ｃ）に示すように、「エラーレートが異常である（エラーレートの最大値が閾値を超えた）」旨を示すエラー情報（エラーレート異常情報７３）が印刷される。そして、メディア処理装置１は、情報処理装置２から送信されるディスク搬送指令に基づいて、当該ディスクＤをエラーディスクの保管場所である第２保管用スタッカー４４ｃへ搬送する（Ｓ０７）。その後、Ｓ０３で書き込み対象となったデータを用いてディスクＤの再作成処理（ディスク再作成処理）を実行する（Ｓ０１）。
【００４４】
一方、エラーレートが閾値以下の場合（Ｓ１２；Ｙｅｓ）、情報処理装置２は、メディア処理装置１から受信したエラーレートの測定結果に基づくエラーレート情報と、ユーザーにより作成（または指定）されたレーベル画像とをマージした印刷データを生成し、これをメディア処理装置１に送信し、メディア処理装置１は、レーベル印刷部４３を制御して受信した印刷データに基づいてレーベル面Ｌに印刷を行なう（Ｓ１４，レーベル印刷ステップ）。即ち、この場合、レーベル面Ｌには、図４に示すように、レーベル画像（同図では、タイトル８１、保存データ形式８２、管理番号８３、作成年月日８４（Create  Date）および所有者名８５（作成者名）に相当）に加え、エラーレート情報（同図では、エラーレート測定年月日８６（Error  Rate  Check  Date）およびエラーレート最大値８７（MAX  Error  Rate，一例として、ＤＶＤのエラーレート最大値を示す））が印刷される。
【００４５】
また、この時、情報処理装置２はエラーレートの測定結果と、当該エラーレートを測定したディスクＤの識別情報とを関連付けたディスク情報を、データ記憶部１２に記憶してもよい。なお、ここで言う識別情報とは、ディスクＤを特定するための情報であり、上記Ｓ１４でレーベル面Ｌに印刷した内容（即ち、参照番号：８１〜８５の内容）と同じ情報である。このディスク情報を用いることで、大量のディスクＤを管理する場合に、作成したディスクＤのエラーレートを容易に把握することができ、ディスク管理を簡単に行なうことができる。
【００４６】
そして、メディア処理装置１は、情報処理装置２から送信されるディスク搬送指令に基づいて、当該ディスクＤを成功ディスクの保管場所である第１保管用スタッカー４４ｂへ搬送し（Ｓ１５）、その後、次のディスク作成処理（次の書き込み対象となるデータを用いたディスク作成処理）を実行する（Ｓ０１）。
【００４７】
なお、上述のコンペア処理、ウィルスチェックおよびエラーレート判定のいずれかの処理で異常となったディスクＤの再作成処理（ディスク再作成処理）は、予め設定された所定の回数（例えば、３回や５回等）だけ繰り返し行なわれ、ディスク再作成の回数が、設定された回数に達した場合は、ディスク再作成処理を停止し、次のディスク作成処理、即ち、次の書き込み対象となるデータを用いたディスク作成処理に移行する。
【００４８】
以上のように、本実施形態によれば、所定のデータをディスクＤに書き込んだ後、当該ディスクＤのエラーレートを測定することにより、作成したディスクＤの品質（劣化程度）を判定することができる。即ち、結果として、データの長期保存に適した品質を担保したディスクＤを作成することができる。また、測定したエラーレート（エラーレートの最大値）が閾値以下（予め設定されたエラーレートに対する閾値以下）の場合のみレーベル面Ｌにレーベル画像を印刷することで、ユーザーは作成したディスクＤの品質が良いのか悪いのかを一目で判断できる。即ち、レーベル画像が印刷されていればディスクＤの品質は良好であると判断でき、逆にレーベル画像が印刷されていなければディスクＤが劣化している（不良ディスクである）と判断できる。
【００４９】
また、レーベル面Ｌにエラーレート情報を印刷することができるため、多数のディスクＤを作成する場合であっても、ユーザーは各ディスクＤがどのくらいのエラーレートなのかを容易に認識して、ディスク管理を簡略化することができる。
【００５０】
なお、本実施形態では、エラーレート情報として、エラーレート測定年月日８６およびエラーレート最大値８７（いずれも図４参照）をレーベル面Ｌに印刷しているが、これに限るものではなく、例えば、図５（ａ）に示すように、エラーレートのグラフＧを印刷しても良い。また、エラーレート情報として、エラーレートの平均値や総エラーレート値、あるいはエラーレートの閾値を合わせて印刷しても良い。
【００５１】
また、本実施形態では、エラーレート（エラーレートの最大値）が閾値以下の場合に、レーベル面Ｌにレーベル画像に加えてエラーレート情報を印刷しているが（図４参照）、これに限るものではない。例えば、エラーレート（エラーレートの最大値）が閾値以下の場合に、図５（ｂ）のようにレーベル画像のみを印刷しても良い。
【００５２】
また、本実施形態におけるレーベル面Ｌに対する各種情報（レーベル画像、エラーレート情報およびエラー情報）の印刷位置は、あくまでも一例であり、これに限るものではない。また、レーベル画像を構成する情報（参照番号８１〜８５）も一例であり、これに限るものではない。これらは、ディスク作成時の仕様に基づいて、適宜変更することが可能である。
【００５３】
また、本実施形態では、成功ディスクおよびエラーディスクを、それぞれ第１保管用スタッカー４４ｂおよび第２保管用スタッカー４４ｃに分散して保管（搬送）する構成としているが、これに限るものではない。例えば、保管用スタッカーを１つにし、これに成功ディスクとエラーディスクの両方を保管（搬送）する構成としても良い。
【００５４】
また、本実施形態では、書き込み後のディスクＤに対して、コンペア、ウィルスチェック、エラーレート測定の順で処理を実行しているが、この順番は一例であり、任意に変更することも可能である。
【００５５】
また、本実施形態では、ディスクＤの識別情報として、レーベル面Ｌに印刷した内容（図４の参照番号８１〜８５の内容）を例示しているが、これに限るものではない。例えば、図４の参照番号８１〜８５のいずれかの情報（または、いずれかの情報の組み合わせ）であっても良いし、あるいは、他の管理情報（例えば、ディスクＤ毎に割り当てたＩＤなど）であっても良い。即ち、作成したディスクＤを一意に特定できる情報であれば良い。
【００５６】
また、本発明のメディア処理システムＳＹをメディア処理装置１のみで実現しても良い。
【００５７】
また、上記した、メディア処理システムＳＹの各構成要素をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００５８】
また、上述した実施例によらず、メディア処理システムＳＹの装置構成や処理工程等について、本発明の要旨を逸脱しない範囲で、適宜変更も可能である。
【符号の説明】
【００５９】
１…メディア処理装置  ２…情報処理装置  ２５…エラーレート判定部  ４２…データ記録部  ４３…レーベル印刷部  ６３…エラーレート測定部  ７３…エラーレート異常情報  ８６…エラーレート測定年月日  ８７…エラーレート最大値  ＳＹ…メディア処理システム  Ｄ…ディスク  Ｌ…レーベル面  Ｇ…グラフ
【図１】
0005845600.tif 000002
【図２】
0005845600.tif 000003
【図３】
0005845600.tif 000004
【図４】
0005845600.tif 000005
【図５】
0005845600.tif 000006